(57)【要約】【課題】磁気テープ録再装置（特にデジタルビデオカセット録再装置）で、磁気ヘッドに損傷を与えることなく、これに付着した塵埃（特に粘性のある塵埃）を効果的に除去する為のクリーニングカセットの提供。【解決手段】筐体内に、磁気テープと、クリーニング液の貯蔵タンクとを収容してなり、磁気ヘッドに付着した塵埃を除去するクリーニングカセットであって、前記貯蔵タンクは、少なくとも磁気テープの走行時において、当該磁気テープにおける記録面に接触状態で、且つそれ自体が回転自在に配置されているクリーニングカセット。【選択図】図２
2005011455.tif 000002
【特許請求の範囲】
【請求項１】
筐体内に、樹脂テープと、クリーニング液の貯蔵タンクとを収容してなり、磁気ヘッドに付着した塵埃を除去するクリーニングカセットであって、
前記貯蔵タンクは、少なくとも樹脂テープの走行時において、当該樹脂テープにおける磁気ヘッド接触面に接触状態で、且つそれ自体が回転自在に配置されているクリーニングカセット。
【請求項２】
前記貯蔵タンクの周面には、内側に貯蔵するクリーニング液を放出する浸透口が所定間隔で形成されている請求項１記載のクリーニングカセット。
【請求項３】
前記貯蔵タンクは中空円柱状に形成されており、その軸芯を中心として、樹脂テープの駆動方向に回転するように、前記筐体内に設置されている請求項１又は２記載のクリーニングカセット。
【請求項４】
前記貯蔵タンクの周面に形成される浸透口は、中空円柱状に形成された貯蔵タンクの軸方向に沿う長尺の矩形である請求項１〜３の何れか一項に記載のクリーニングカセット。
【請求項５】
前記筐体は、デジタルビデオカセット録再装置で使用可能な大きさである請求項１〜４の何れか一項に記載のクリーニングカセット。
【請求項６】
前記クリーニング液は、その成分中に潤滑剤又は界面活性剤を含有してなる請求項１〜５の何れか一項に記載のクリーニングカセット。
【発明の詳細な説明】
【０００１】
【発明の属する技術分野】
本発明は、磁気テープ録再装置における磁気ヘッドに付着した塵埃を除去する為のクリーニングカセットに関し、特にデジタルビデオカセット録再装置（デジタルビデオカメラ及びデジタルビデオプレーヤーを含む）においても、好適に使用し得るクリーニングカセットに関する。
【０００２】
【従来技術及び発明が解決しようとする課題】
従来より、磁気ヘッドを用いるデジタルビデオカセットの録再装置における磁気ヘッド用のクリーニングカセットは提供されている。しかし、かかる従前のクリーニングカセットは、樹脂製フィルム状のテープ表面の粗さを調整したり、研磨剤を塗布するなどの処理を施したクリーニングテープが使用されているものであり、これは、クリーニングテープの走行に伴い、当該テープが磁気ヘッドに接触することによって、磁気ヘッドの表面に蓄積した塵埃を除去するものとなっている。
【０００３】
併しながら、かかる従前のクリーニングカセットでで磁気ヘッドをクリーニングしても、テープ表面に施された粗面加工や塗布された研磨剤などによって除去できる磁気ヘッドの塵埃は極く限られていることから、油膜や粘度の高い塵埃（例えば煙草のヤニなど）の除去に対してはあまり効果が現れないものとなっていた。加えて、磁気ヘッドに粗面加工や研磨剤が塗布されたテープは、クリーニングの都度、磁気ヘッドに接触することから、磁気ヘッド自体の摩耗や損傷なども懸念されていた。
【０００４】
一方で、ＶＨＳ方式などのビデオカセット録再装置における磁気ヘッド用のクリーニングカセットとしては、上記のような乾式のクリーニングカセットの他、布帛製のテープにクリーニング液を染み込ませ、これで磁気ヘッドに付着した塵埃を除去する、所謂湿式のクリーニングカセットも提供されている。
【０００５】
併しながら、一般にデジタルビデオカセットは、より小型化された形態を有し、当該デジタルビデオカセットの録再装置で使用できるテープの厚さも、より薄く形成されなければならないとの制約を伴っていることから、単純にＶＨＳ方式のビデオカセット録再装置用のクリーニングカセットにおける、湿式のクリーニングカセットの技術を転用することもできない。何故なら、デジタルビデオカセットでは、クリーニング液を貯蔵する為のタンクを配置するスペースの確保が困難であること、湿式のクリーニングカセットに必要な布帛製のテープは厚すぎてデジタルビデオカセット録再装置では使用できないことが挙げられる。また布帛製のテープに代わる新たなテープを使用したとしても、適量のクリーニング液を載せるのが困難である等の理由も原因の一つとなっている。
【０００６】
依って、本発明は、磁気テープ録再装置で、磁気ヘッドに損傷を与えることなく、これに付着した塵埃（特に粘性のある塵埃）を効果的に除去する為のクリーニングカセットを提供すること、特にデジタルビデオカセット録再装置（デジタルビデオカメラ及びデジタルビデオプレーヤーを含む）においても、好適に使用することのできるクリーニングカセットを提供することを課題とする。
【０００７】
【課題を解決するための手段】
本発明は、樹脂テープをクリーニング用のテープとして使用し、且つこれにクリーニング液を載せて（塗布乃至付着させて）から磁気ヘッドに接触させることで、磁気ヘッドに付着した塵埃（特に粘性のある塵埃）を効果的に除去することのできるクリーニングカセットを提供するものである。
【０００８】
即ち、本発明に係るクリーニングカセットは、筐体内に、樹脂テープと、クリーニング液の貯蔵タンクとを収容してなり、磁気ヘッドに付着した塵埃を除去するクリーニングカセットであって、前記貯蔵タンクは、少なくとも樹脂テープの走行時において、当該樹脂テープにおける磁気ヘッド接触面に接触状態で、且つそれ自体が回転自在に配置されているクリーニングカセットである。
【０００９】
かかる本発明のクリーニングカセットでは、クリーニングテープ（即ち樹脂テープ）と磁気ヘッドとの間には、適量のクリーニング液が存在することから、両者間における摩擦抵抗が減じられて、磁気ヘッドの摩耗などによる損傷をなくすことができる。加えて、クリーニング液の存在により、粘性のある塵埃も効果的に除去されることになる。
【００１０】
前記樹脂テープは、ポリエステルその他の各種合成樹脂からなるフィルムを帯状に形成したものを使用することができ、例えば、従来乾式のクリーニングテープとして使用されているポリエステル製のフィルムや、磁気テープとして使用されているものを使用することができる。特に乾式のクリーニングテープは、樹脂テープに研磨剤などを塗布したものでも、樹脂テープの表面を粗くしたものでも良く、また磁気テープは、一般に録再用として使用されているものでも、その表面加工を粗くして摩擦抵抗を大きくしたものでも良い。
【００１１】
特に、特に本発明のクリーニングカセットでは、クリーニングテープとして、一般に液体を吸収しにくい樹脂テープ、例えばポリエステル製等のフィルムなどが使用されていることから、これに対するクリーニング液の付着量を調整するのが困難である。即ち、従前の湿式クリーニングカセットのように、単なるフエルトを使用した場合には、クリーニングテープにクリーニング液が付着しすぎて、これが録再装置の故障を誘発する結果になることも考えられる。そこで本発明においては、貯蔵タンクの周面に、内側に貯蔵するクリーニング液を放出する浸透口を所定間隔で形成し、この浸透口の形成間隔、及び開口面積により、クリーニングテープに付着するクリーニング液の量を調整するものである。
【００１２】
更に、上記本発明のクリーニングカセットでは、貯蔵タンクを中空円柱状に形成して、貯蔵タンクが、その軸芯を中心として、樹脂テープの駆動方向に回転するように、前記筐体内に設置する事が望ましい。このように形成すれば、クリーニングテープが貯蔵タンクに接触してクリーニング液を受取る場合、貯蔵タンクはテープの走行時の力を利用して回転することができ、これにより貯蔵タンクとクリーニングテープとの接触時の負荷が軽減されることになる。また、テープの走行時の力を利用して貯蔵タンク自身が回転することにより、任意に、その周面に所定間隔で形成された浸透口からテープへのクリーニング液の提供が円滑に行われることになる。
【００１３】
そして、貯蔵タンクの周面に浸透口を形成する場合、この浸透口の形状を貯蔵タンクの軸方向に沿う長尺の矩形とし、その長さを樹脂テープ（クリーニングテープ）の幅に合わせれば、当該テープの幅方向全域にクリーニング液を付着させることができる。なお、この浸透口は、長尺状に限られるものではなく、その他にも、中空円柱状に形成された貯蔵タンクの周面に、複数の孔を偏在又は遍在して形成したり、当該周面の周方向に螺旋状に形成することもできる。但し何れの場合においても、この浸透口の数や大きさ或いは配置具合などにより、クリーニングテープに対するクリーニング液の付着具合を調整するのが望ましい。
【００１４】
そしてクリーニング液として、その成分中に潤滑剤又は界面活性剤を含有させることにより、樹脂テープ（クリーニングテープ）における表面（即ち磁気ヘッドに接触する面）には磁気ヘッドとの摩擦抵抗を減じさせる保護膜が形成され、より一層磁気ヘッドの摩耗を減じさせることができる。即ち、本発明においてクリーニングテープとしての樹脂テープ（磁気テープを加工したものなど）に付着されるクリーニング液は、磁気ヘッドに対する緩衝剤として機能することができる。
【００１５】
そして、本発明に係るクリーニングカセットでは、樹脂テープ、即ちポリエステル樹脂からなる帯状フィルムであって、例えばデジタルビデオカセットで録再用に通常使用されている磁気テープやこれを加工したもの、或いは乾式クリーニングカセットに使用されているクリーニングテープなどをクリーニングテープとして使用できることから、特にデジタルビデオカセット録再装置用のクリーニングカセット、即ち、筐体が、デジタルビデオカセット録再装置で使用される大きさに形成されたクリーニングカセットにおいて、一層顕著な効果を発揮することができる。なお、本発明でクリーニングテープとして使用される樹脂テープは、クリーニングテープが使用される録再装置に通常使用される記録媒体（磁気テープなど）の厚さに形成されることが望ましい。
【００１６】
なお、本明細書におけるデジタルビデオカセットとは、ｍｉｎｉＤＶ  Ｃａｓｓｅｔｔｅ、ＤＶ  Ｃａｓｓｅｔｔｅ等の名称で提供されている全てのデジタルビデオカセットを含む意味である。
【００１７】
【発明の実施の形態】
以下、図面に示す実施の形態に基づき、本発明を説明する。
【００１８】
図１は本発明の一の実施形態に於ける背面図であり、図２はこのクリーニングカセットの内部構造を示す略図であり、図３は貯蔵タンクを示す要部拡大斜視図である。そして本実施の形態では、特にデジタルビデオカセット録再装置用のクリーニングカセットの例を示している。
【００１９】
図１に示すように、この実施の形態に示すクリーニングカセット１０は、背面における、磁気ヘッドに向く側端部にクリーニング液の注入口１１が設けられており、この注入口１１からクリーニング液が貯蔵タンク内に充填されることになる。本実施の形態において、クリーニング液としては、フッ素系潤滑剤やイソプロピルアルコール及び界面活性剤を用いた液状組成物を使用することができる。
【００２０】
そしてこの注入口１１に繋がる貯蔵タンク２１は、図２に示すように、クリーニングテープとして機能する樹脂テープである磁気テープを加工したもの（以下、単に磁気テープ２２とする）の送り側に設置される。この貯蔵タンク２１の設置に際しては、当該タンク２１の周面が、磁気テープ２２の表面（即ち、信号記録面であって、磁気ヘッドに接する面）に接するように配置されることが必要である。
【００２１】
この貯蔵タンク２１は樹脂などを用いて中空円柱状に形成され、その一端面（クリーニングカセットの背面側）に前記注入口１１が形成されると共に、その内部空間には、注入されたクリーニング液を一定の間保持する為のクリーニング液吸収材（本実施の形態ではフエルト）を収容させて形成されている。そして、その周壁面には、図３に示す如く所定の間隔で浸透口３１が形成され、当該貯蔵タンク２１は、その中心軸を中心として回転自在に設置されている。
【００２２】
かかるクリーニングカセットにおいては、前記背面の注入口１１からクリーニング液が注入されると、当該液は貯蔵タンク２１内のクリーニング液吸収剤に浸透して保持される。そして録再装置で、クリーニングカセットの再生又は録画動作開始することにより、クリーニングテープ（磁気テープ２２）は、送り側ハブ２３から巻き取り側ハブ２４に巻き取られる。この時のクリーニングテープ（磁気テープ２２）の走行によって、当該テープ２２に接触する貯蔵タンク２１は自転し、浸透口３１からクリーニング液をテープ２２に供給（塗布乃至付着）することができる。
【００２３】
そしてクリーニングテープ（磁気テープ２２）に塗布されたクリーニング液は、当該テープ２２の表面に、磁気ヘッドを摩耗から保護するための保護膜を形成し、磁気ヘッドを損傷させることなく、潤滑に走行して、磁気ヘッドに付着した塵埃、特に粘性を有する塵埃を除去することができる。
【００２４】
特にこのクリーニングカセットでは、筐体１２としてデジタルビデオカセットと同じ大きさのものが使用されており、クリーニングテープとして磁気テープ２２が使用され、更にテープ２２の駆動機構などもデジタルビデオカセットと同じであることから、デジタルビデオカセット録再装置における磁気ヘッドのクリーニングに好適に使用すことができる。
【００２５】
【発明の効果】
本発明のクリーニングカセットは、磁気テープ録再装置で、磁気ヘッドに損傷を与えることなく、これに付着した塵埃（特に粘性のある塵埃や油膜）を効果的に安全且つ確実に除去することのできるクリーニングカセットとなる。そしてこのクリーニングカセットは、特にデジタルビデオカセット録再装置（デジタルビデオカメラ及びデジタルビデオプレーヤーを含む）においても、好適に使用することのできる。
【図面の簡単な説明】
【図１】一の実施形態に於けるクリーニングカセットの背面図
【図２】クリーニングカセットの内部構造を示す略図
【図３】貯蔵タンクを示す要部拡大斜視図
【符号の説明】
１０    クリーニングカセット
１１    注入口
１２    筐体
２１    貯蔵タンク
２２    磁気テープ
２３    送り側ハブ
２４    巻き取り側ハブ
３１    浸透口
【図１】
2005011455.tif 000003
【図２】
2005011455.tif 000004
【図３】
2005011455.tif 000005